(57)【特許請求の範囲】
【請求項１】
床面に立つ複数の脚板と、これらの脚板の上縁に載せられる座板と、１ないし複数の背板とを備え、
各脚板と背板とは、互いの切り込み溝を互いの溝端まで嵌め合わせて互いに交差状に結合され、
座板は、背板を挿通させるスリットを有し、
背板はスリットを通して各脚板に結合され、
脚板の上縁の嵌合突起を座板の嵌合溝に嵌め入れてあり、
背板の下辺が床面に当接していることを特徴とする、固定具を用いない組立椅子。
【発明の詳細な説明】
【０００１】
【発明の属する技術分野】
本発明は、複数の面材を組み合わせて構成される、固定具を用いない組立椅子に関する。
【０００２】
【従来の技術】
従来、組立家具は、複数の面材を組み合わせて構成され、それらの面材の連結部は例えばピンなどの固定具を用いてそれぞれ固定される。
【０００３】
【発明が解決しようとする課題】
しかしながら、固定具を用いると、部品点数が増え組み立てが複雑になるという問題があった。一方、固定具を用いないとすると、面材間の連結強度が弱くなるため、全体がぐらついて壊れたりするおそれがある。
本発明は、かかる背景のもとでなされたもので、十分な強度を有する、固定具を用いない組立椅子を提供することを目的とする。
【０００４】
【課題を解決するための手段および発明の効果】
上記目的を達成するため、本発明は、床面に立つ複数の脚板と、これらの脚板の上縁に載せられる座板と、１ないし複数の背板とを備え、各脚板と背板とは、互いの切り込み溝を互いの溝端まで嵌め合わせて互いに交差状に結合され、座板は、背板を挿通させるスリットを有し、背板はスリットを通して各脚板に結合され、脚板の上縁の嵌合突起を座板の嵌合溝に嵌め入れてあり、背板の下辺が床面に当接していることを特徴とする、固定具を用いない組立椅子である。
【０００６】
また、本発明では、固定具を用いず少ない部品点数で、組み立ておよび分解が容易に且つ素早く行える組立椅子を提供することができる。また、座板を安定して支えることができ、脚板と背板との連結強度を向上させることができる。特に、背板が座板のスリットを挿通して各脚板に結合するので、全体として非常に高い強度を得ることができる。
【０００９】
【発明の実施の形態】
以下には、図面を参照して、この発明の実施形態について具体的に説明する。図１は、本発明の一参考形態にかかる組立椅子１を斜め上方から見た斜視図である。また、図２は、組立椅子１を斜め上方から見た分解斜視図である。図１および図２を参照して、組立椅子１は、例えば背板２と、座板３と、床面に立つ２枚の脚板４、４とを備えている。背板２、座板３および各脚板４、４は、それぞれ例えばベニヤ板からなる薄板であって、その板厚は略一致する。ただし、図１および図２において右手前側を前方、左奥側を後方とする。
【００１０】
背板２は、例えば略長方形形状をしていて、上部を後方へ傾けて配置され、その長手方向である縦方向の中央近傍には、座板３と連結するための嵌合溝５が形成されている。この嵌合溝５は、断面略長方形形状で、背板２の前面２ｃから後面２ｄに貫通しており、背板２の短手方向である左右方向にまっすぐ一定の長さだけ延びている。また、背板２の下辺２ａには、背板２の縦方向に一定の長さだけまっすぐ延びる２つの切り込み溝６が、背板２の縦方向に沿う中心線Ａに対して対称に形成されている。
【００１１】
各脚板４、４は同一形状であるので、一方の脚板４についてのみ説明する。脚板４は、例えば略長方形形状をしていて、脚板４の上縁としての上辺７の前端７ａ近傍には、座面３と連結するための嵌合突起８が形成されている。この嵌合突起８の高さは座板３の板厚に略等しい。また、上辺７の後端７ｂからは、前端７ａ側に一定の長さだけ延び、その高さが座板３の板厚に略等しい突起９が形成されている。この突起９を前後に分断する態様にて、下辺１０に向けて背板２と等しい傾斜角度をなしてまっすぐ延びる切り込み溝１１が形成されている。この切り込み溝１１は、その長さが背板２の切り込み溝６の長さと略一致しており、脚板４の高さ方向の略中央まで延びている。また、突起９の前端９ａから切り込み溝１１までの部分は、座板３と連結するための嵌合突起１２をなす。
【００１２】
各脚板４、４と背板２とは、互いの切り込み溝６、１１を互いの溝端６ａ、１１ａまで嵌め合わせることにより、交差状に連結される。このとき、背板２の下辺２ａは、脚板４の下辺１０と同じ位置まできて地面に当接する。
座板３は、例えば略正方形形状をしており、その後縁としての後辺３ａには、背板２の嵌合溝５に対応する形状の嵌合突起１３が、後辺３ａの略中央に形成されている。この嵌合突起１３は、その高さが背板２の板厚に略等しく、背板２の嵌合溝５に対して前方から後方に向かって嵌め入れることにより、背板２と座板３とが連結される。また、座板３には、その後辺３ａから脚板４の嵌合突起１２の長さ分だけ前方へまっすぐ延びる２つの嵌合溝１４、１４が、嵌合突起１３を挟んで対称に形成されている。両嵌合溝１４，１４間の距離は、背板２の両切り込み溝６、６間の距離に一致する。座板３が背板２に連結されることにより、背板２の前面２ｃによって各嵌合溝１４、１４の後縁が仕切られて、各嵌合溝１４、１４が対応する嵌合突起１２、１２に丁度嵌まり合う形状となる。
【００１３】
また、各脚板４、４の嵌合突起８、８にそれぞれ対応する断面略長方形形状の嵌合溝１６、１６が、座板３の上面３ｃから下面３ｄに貫通して形成されている。脚板４の嵌合突起８、１２をそれぞれ座板３の嵌合溝１６、１４に嵌め入れることにより、座板３と脚板４とが連結される。
この組立椅子１の組み立ては、まず背板２に２枚の脚板４、４を連結させ、次に座板３の嵌合突起１３を背板２の嵌合溝５に嵌め入れた後、２枚の脚板４について、座板３の各嵌合溝１６、１４に脚板４の各嵌合突起８、１２をそれぞれ嵌め入れることにより達成される。ただし、脚板４は２枚に限らず、例えば３枚あるいはそれ以上にすることにより、組立椅子１を長椅子としてもよい。
【００１４】
本参考形態では、固定具を用いず少ない部品点数で、組み立ておよび分解が容易に且つ素早く行える組立椅子１を提供することができる。特に、床面に立つ複数の脚板４に座板を載せて支えるので、座板４を安定して支えることができる。というのは、板材は板面に沿う圧縮に対して高い強度を発揮できるからである。また、各脚板４，４と背板２が互いに他に食い込むように相交差するので、両者の連結強度が高く、この点からも全体の強度を向上させることができる。加えて、切り込み溝１１に隣接して嵌合突起１２が形成されているので、切り込み溝１１の縁部が座板により強固に固定され、全体の強度を向上させることができる。
図３は、本発明の実施形態にかかる組立椅子２１を斜め上方から見た斜視図である。また、図４は、組立椅子２１を斜め上方から見た分解斜視図である。図３および図４を参照して、本実施形態の組立椅子２１が、図１および図２の参考形態の組立椅子１と異なる構成は下記である。すなわち、
１）嵌合突起１３および嵌合溝５を廃止した。
２）座板３に背板２を挿通させるスリット２２を形成し、両板２、３の結合状態で座板３が背板２の後方に延びる部分を有するものとした。背板２はスリット２２を挿通した状態で、切り込み溝６、１１を介して脚板４に結合されることになる。
３）各脚板４、４の上辺７において切り込み溝１１を挟んだ両側に切り込み溝１１に隣接して一対の嵌合突起２３、２４を設け、これら一対の嵌合突起２３、２４にそれぞれ嵌合する一対の嵌合溝２５、２６を座板３のスリット２２を挟んだ両側にスリット２２に隣接して設けた。他の構成については図１および図２の参考形態と同様であるので、図に同一符号を付してその説明を省略する。
【００１５】
本参考形態では、図１および図２の実施形態と同様の作用効果を奏し、容易に且つ素早く組み立ておよび分解を行うことができ且つ強度がある。加えて、背板２が座板３のスリット２２を挿通して各脚板４、４に結合するので、全体として非常に高い強度を得ることができる。また、スリット２２に隣接して嵌合突起２３、２４が形成されているので、スリット２２の入口縁部が座板３により強固に固定され、全体の強度を向上させることができる。
【００１６】
ただし、背板２および脚板４の枚数は本実施形態に示す枚数に限らず、例えば背板２を２枚、脚板４を４枚にすることにより、２人掛けの組立椅子２１としてもよい。
図５は、本発明の他の参考形態にかかる組立椅子４１を斜め上方から見た斜視図である。また、図６は、組立椅子４１を斜め上方から見た分解斜視図である。図５および図６を参照して、組立椅子４１は、図１および図２と同様に例えば背板４２と、座板４３と、床面に立つ２枚の脚板４４、４４とからなる。背板４２、座板４３および各脚板４４、４４は、それぞれ例えばベニヤ板からなる薄板であって、その板厚は略一致する。ただし、図５および図６において右手前側を前方、左奥側を後方とする。
【００１７】
背板４２は、例えば略長方形形状をしていて、上部を後方に傾けて配置され、その長手方向である縦方向の中央近傍には、座板４３と連結するための嵌合溝４５ａ，４５ｂ，４５ｃが背板４２の短手方向である左右方向に一定の間隔で例えば３つ形成されている。これらの嵌合溝４５ａ，４５ｂ，４５ｃは、それぞれ断面略長方形形状で略一致しており、それぞれ背板４２の前面４２ｃから後面４２ｄに貫通し、背板４２の左右方向にまっすぐ一定の長さだけ延びている。また、背板４２の下辺４２ａには、背板４２の縦方向に一定の長さだけまっすぐ延びる２つの切り込み溝４６、４６が、背板４２の縦方向に沿う中心線Ａに対して対称に形成されている。各切り込み溝４６、４６の上辺４２ｂ側への延長線Ｃは、上記３つの嵌合孔４５ａ，４５ｂ，４５ｃのうち両端の２つの嵌合孔４５ａ，４５ｃの略中央にそれぞれ直交する。
【００１８】
各脚板４４、４４は同一形状であるので、一方の脚板４４についてのみ説明する。脚板４４は、例えば略正方形形状をしていて、脚板４４の上辺４７の後端４７ａ近傍には、下辺４８に向けて背板４２と等しい傾斜角度をなしてまっすぐ延びる切り込み溝４９が形成されている。この切り込み溝４９は、その長さが背板４２の切り込み溝４６の長さと略一致しており、脚板４４の高さ方向の略中央まで延びている。また、脚板４４の前辺５０の上端５０ａ近傍には、後方に向けて一定の傾斜角度をなしてまっすぐ延びる切り込み溝５１が形成されている。
【００１９】
各脚板４４、４４と背板４２とは、互いの切り込み溝４６、４９を互いの溝端４６ａ、４９ａまで嵌め合わせることにより、交差状に連結される。このとき、背板４２の下辺４２ａは、脚板４４の下辺４８と同じ位置まできて地面に当接する。
座板４３は、例えば略長方形形状をしており、その後縁としての後辺４３ａには、背板４２の各嵌合溝４５ａ、４５ｂ、４５ｃにそれぞれ対応する形状の嵌合突起５２ａ、５２ｂ、５２ｃが、一定の間隔で３つ形成されている。これらの嵌合突起５２ａ、５２ｂ、５２ｃは、それぞれその高さが背板４２の板厚に略等しく、背板４２の各嵌合溝４５ａ、４５ｂ、４５ｃに対して前方から後方に向かってそれぞれ嵌め入れることにより、背板４２と座板４３とが連結される。また、３つの嵌合突起５２ａ、５２ｂ、５２ｃのうち両端の２つの嵌合突起５２ａ、５２ｃの略中央には、各嵌合突起５２ａ、５２ｃを左右に分断する態様にて、前後方向に脚板４４の切り込み溝５１の長さ分だけまっすぐ延びる切り込み溝５３がそれぞれ形成されている。両切り込み溝５３、５３間の距離は、背板４２の両切り込み溝４６、４６間の距離に一致する。各脚板４４、４４と座板４３とは、互いの切り込み溝５１、５３を互いの溝端５１ａ、５３ａまで嵌め合わせることにより、交差状に連結される。
【００２０】
この組立椅子４１の組み立ては、まず背板４２に２枚の脚板４４、４４を連結させ、次に座板４３の各切り込み溝５３、５３を各脚板４４、４４の切り込み溝５１、５１に互いの溝端５１ａ、５３ａまで嵌め合わせ、各嵌合突起５２ａ、５２ｂ、５２ｃを背板４２の各嵌合溝４５ａ、４５ｂ、４５ｃにそれぞれ嵌め入れることにより達成される。ただし、背板４２の長さをもっと短くすれば、１枚のベニヤ板から効率よく各構成部材を取り出すことができる。
【００２１】
本参考形態では、固定具を用いず少ない部品点数で、組み立ておよび分解が容易に且つ素早く行える組立椅子４１を提供することができる。また、座板４３を安定して支えることができ、脚板４４と背板４２との連結強度を向上させることができる。特に、各脚板４４、４４が座板４３及び背板４２と相互に食い込むようにして相交差するので、全体として非常に高い強度を得ることができる。
図７は、本発明の他の参考形態にかかる組立テーブル６１を斜め上方から見た斜視図である。また、図８は、組立テーブル６１を斜め上方から見た分解斜視図である。図７および図８を参照して、組立テーブル６１は、例えば天板６２と、床面に立つ２枚の脚板６３、６４とからなる。天板６２および各脚板６３、６４は、それぞれ例えばベニヤ板からなる薄板であって、その板厚は略一致する。
【００２２】
各脚板６３、６４は、それぞれ例えば略長方形形状で、各上縁としての上辺６３ａ、６４ａの略中央に略半楕円形形状の凹部６５をそれぞれ有している。また、各脚板６３、６４には、各上辺６３ａ、６４ａの両端から、それぞれ天板６２と連結するための嵌合突起６６が一定の長さだけ延びている。これらの嵌合突起６６の高さは、天板６２の板厚に略等しい。
一方の脚板６３には、その下辺６３ｂの略中央から短手方向である高さ方向に、脚板６３の高さ方向の略中央までまっすぐ延びる切り込み溝６７が形成されている。また、他方の脚板６４には、その上辺６４ａに形成された凹部６５の底端から高さ方向に、脚板６４の高さ方向の略中央までまっすぐ延びる切り込み溝６８が形成されている。各脚板６３、６４は、互いの切り込み溝６７、６８を互いの溝端６７ａ、６８ａまで嵌め合わせることにより、交差状に連結される。このとき、一方の脚板６３の下辺６３ｂは、他方の脚板６４の下辺６４ｂと同じ位置まできて地面に当接する。
【００２３】
天板６２は、例えば一辺の長さが上記凹部６５の幅に等しい略正方形の面材に、これらの４つの辺にそれぞれ上記凹部６５に対応する形状の凸部６９が連結された形状をしている。４つの凸部６９の交わる点からは、それぞれ天板６２の中心Ｄに向かってまっすぐ一定の長さだけ延びる嵌合溝７０がそれぞれ形成されている。また、中心Ｄを挟んで対向する２対の嵌合溝７０のそれぞれの対向する嵌合溝７０を結ぶ対角線は、その長さが略一致すると共に、それぞれの中央で互いに直交する。したがって、天板６２は、その中心Ｄを支点として９０°毎に、各嵌合溝７０と各嵌合突起６６とを対応させることができるので、組み立てが容易且つ素早く行える。
【００２４】
この組立テーブル６１の組み立ては、まず２枚の脚板６３、６４を連結させた後、各脚板６３、６４の各嵌合突起６６を天板６２の各嵌合溝７０に対して下方から上方に向かってそれぞれ嵌め入れることにより達成される。ただし、天板６２および各脚板６３、６４の形状は上記形状に限らず、例えば天板６２の凸部６９および各脚板６３、６４の各凹部６５はもっと大きくてもよい。また、天板６２は、表裏反転可能であってもよい。この場合、例えば表裏の仕上げを変えることにより、両面を利用することができる。
【００２５】
本参考形態では、固定具を用いず少ない部品点数で、組み立ておよび分解が容易に且つ素早く行える組立テーブル６１を提供することができる。特に、床面に立つ複数の脚板６３、６４に天板６２を載せて支えるので、天板６２を安定して支えることができる。また、各脚板６３、６４が相互に食い込むようにして相交差するので、全体として非常に高い強度を得ることができる。ただし、脚板を３枚以上用いて、これらを互いに嵌め合わせてもよい。
【００２６】
本発明は、以上の実施形態の内容に限定されるものではなく、請求項記載の範囲内において種々の変更が可能である。例えば、面材はベニヤ板に限らず、他の木質系の面材であってもよいし、合成樹脂系あるいは金属の面材などであってもよい。木質系の面材としては、桜、ローズウッド、シオジなどの表面にメラミン樹脂をコーティングした（練付）化粧合板、集成材及びいわゆるＭＤＦなどがある。合成樹脂系の面材としては、アクリル、ポリエチレン、ポリプロピレンなどの合成樹脂からなる各種プラスチック板、メラミン樹脂を含む化粧積層板、古紙プラスチック再生ボードいわゆるＭＩＫボードなどがある。金属系の面材としては、アルミニウムと樹脂とのサンドイッチパネルいわゆるアルポリック（登録商標）、アルミニウム板などがある。また、複数の脚板間には例えば補助板が設けられていてもよい。
【図面の簡単な説明】
【図１】本発明の一参考形態にかかる組立椅子を斜め上方から見た斜視図である。
【図２】図１の組立椅子を斜め上方から見た分解斜視図である。
【図３】本発明の実施形態にかかる組立椅子を斜め上方から見た斜視図である。
【図４】図３の組立椅子を斜め上方から見た分解斜視図である。
【図５】本発明の他の参考形態にかかる組立椅子を斜め上方から見た斜視図である。
【図６】図５の組立椅子を斜め上方から見た分解斜視図である。
【図７】本発明の他の参考形態にかかる組立テーブルを斜め上方から見た斜視図である。
【図８】組立テーブルを斜め上方から見た分解斜視図である。
【符号の説明】
１組立椅子
２背板
３座板
３ａ後辺
４脚板
５嵌合溝
６切り込み溝
６ａ溝端
７上辺
８嵌合突起
１１切り込み溝
１１ａ溝端
１２嵌合突起
１３嵌合突起
１４嵌合溝
１６嵌合溝
２１組立椅子
２２スリット
２３嵌合突起
２４嵌合突起
２５嵌合溝
２６嵌合溝
４１組立椅子
４２背板
４３座板
４３ａ後辺
４４脚板
４５ａ嵌合溝
４５ｂ嵌合溝
４５ｃ嵌合溝
４６切り込み溝
４６ａ溝端
４９切り込み溝
４９ａ溝端
５１切り込み溝
５１ａ溝端
５２ａ嵌合突起
５２ｂ嵌合突起
５２ｃ嵌合突起
５３切り込み溝
５３ａ溝端
６１組立テーブル
６２天板
６３脚板
６３ａ上辺
６４脚板
６４ａ上辺
６６嵌合突起
６７切り込み溝
６７ａ溝端
６８切り込み溝
６８ａ溝端
７０嵌合溝
【図１】
0004653287.tif 000002
【図２】
0004653287.tif 000003
【図３】
0004653287.tif 000004
【図４】
0004653287.tif 000005
【図５】
0004653287.tif 000006
【図６】
0004653287.tif 000007
【図７】
0004653287.tif 000008
【図８】
0004653287.tif 000009